(57)【特許請求の範囲】
【請求項１】
合成樹脂製の防水シートからなる防水層を有する外部床に穿設され、上端が床面から突出した筒状の枠が嵌め込まれた開口まわりの防水処理に用いられる防水枠であって、
水平片と、該水平片の内側縁から上方に屈折した起立片と、該起立片上端から内側且つ下方に屈折した折り返し片と、を備え、
前記起立片の高さは前記筒状の枠の床面からの突出寸法に対応し、
外面側が前記防水シートと同一材料でコーティングされたことを特徴とする防水枠。
【請求項２】
合成樹脂製の防水シートからなる防水層を有する外部床に穿設された開口と、
前記開口形状に対応した筒状で、上端が床面から突出した状態で前記開口に嵌め込まれた枠と、
水平片と該水平片の内側縁から上方に屈折した起立片と該起立片上端から内側に且つ下方に屈折した折り返し片とを備え、外面側が前記防水シートと同一材料でコーティングされ、前記枠を覆う防水枠と、からなり、
前記防水枠の水平片が前記床面に載置されるとともに前記防水層を構成する防水シートの端縁部が融着あるいは溶着され、前記起立片が前記枠外面に沿って起立し、前記折り返し片が先端が前記枠の上端部を覆うように構成されたことを特徴とする建物の外部床開口部の防水構造。
【発明の詳細な説明】
【技術分野】
【０００１】
本発明は、住宅や公共建築物等の建物のベランダ等の外部床に設置される避難ハッチの防水枠及び外部床開口部の防水構造に関する。
【背景技術】
【０００２】
従来より、集合住宅等の建物においては、火災や地震などの災害時に下階へ避難する為の手段として、ベランダ等の外部床の内部に梯子を収容した避難ハッチを設けることがある。
現在市販されている避難ハッチは、四角筒状の枠と、該枠にヒンジ等によって連結された上下の蓋からなり、腐食の生じにくいステンレス鋼板で構成されている。このような避難ハッチの設置にあたっては、鉄筋コンクリート造の建物の場合、コンクリート打設前に外部床の所定位置に枠を予め埋め込んでおくのが一般的である。また、鉄骨造で床がＰＣコンクリートパネルで構成されている建物の場合は、床に開口部を設けて避難ハッチを埋め込み、その周囲を液状の合成樹脂を塗布して防水処理する、すなわち塗膜防水工法（ＦＲＰ防水工法等）によって防水処理するのが一般的である。
【０００３】
鉄骨造で外部床がＡＬＣパネルで構成されている建物では、通常軟質の塩化ビニール等の合成樹脂を主材料とする防水シートを用いて防水処理がなされる。このような構成の外部床において避難ハッチを設ける場合の防水処理方法としては、例えば、枠に形成されたシーリングポケット付近まで防水シートを立ち上げ、湿式シーリングを打設する方法がある。防水シートをステンレス鋼等の金属に対して水密性を確保して貼着することが、現場作業では困難であるので、シーリング材によって水密性を確保している。
しかし、曝露状態のシーリング材は防水シートに比べ耐久性が劣るので維持管理に手間がかかるという問題がある。また、床に接近した位置であるので作業性に難点があり、作業性を向上させる為に立ち上がりの高さを大きくした場合には、外部床の使い勝手が悪くなるという問題や蓋と手摺との高低差が小さくなり安全性が低下する（蓋にのった場合の転落危険性が増す）という問題が生じる。
【０００４】
従来実施されていた避難ハッチの防水構造を図７に基づいて説明する。防水シートの端部４０と避難ハッチの外枠との間にシーリングを打設するための段部４１を形成し、シーリング材４２の充填によって防水シートの端部の隙間を水密化している。しかしながら、一般に、シーリング材は数年で劣化して亀裂が入り、水密性能がなくなるのが普通であり、延命させるには一旦劣化したシーリング材を撤去して、新しいシーリング材に打設しなおすことが必要となる。また、当該防水構造ではシーリング位置が床面に近いため、頻繁に雨水による冠水が起こり、劣化すなわち漏水という現象を引き起こしやすい。
【０００５】
下記特許文献１には、塩化ビニール等の防水シートが敷設されたバルコニー等の建物露出部に避難ハッチ等の建物露出開口部を形成した場合に使用される防水被覆部材の記載がある。防水被覆材は合成樹脂からなり、辺縁部と立上り部が防水シートに熱溶着され、屈曲部が避難ハッチに接着され、さらに辺縁部及び屈曲部の周縁部にコーキング材が塗布されることによって防水処理がなされている。
【先行技術文献】
【特許文献】
【０００６】
【特許文献１】：特開平８-３３８１１４号公報
【発明の開示】
【発明が解決しようとする課題】
【０００７】
しかしながら、上記特許文献１に記載の構成では、上向き状態での作業がないものの、防水性の確保の為に熱溶着、接着、コーキング材塗布という３つの作業工程が必要となり作業が煩雑であるという問題がある。
【課題を解決するための手段】
【０００８】
本発明は、上記従来技術の有する課題を解決し、単純な防水処理によって防水性能が確保できる防水枠及び外部床開口部の防水構造を提供することを目的とする。
【０００９】
第一の発明によれば、
合成樹脂製の防水シートからなる防水層を有する外部床に穿設され、上端が床面から突出した筒状の枠が嵌め込まれた開口まわりの防水処理に用いられる防水枠であって、
水平片と、該水平片の内側縁から上方に屈折した起立片と、該起立片上端から内側に且つ下方に屈折した折り返し片と、を備え、
前記起立片の高さは前記筒状の枠の床面からの突出寸法に対応し、
外面側が前記防水シートと同一材料でコーティングされたことを特徴とする防水枠が提供される。
【００１０】
ここで、防水処理は、防水枠と外部床の防水層を構成する防水シートの端縁部とを、融着あるいは溶着することにより行われる。
第一の発明では、防水枠の起立片上端から内側に且つ下方に屈折した折り返し片によって、筒状の枠が覆われるので、筒状の枠と防水枠の起立片との間に、雨水が浸入するおそれがなく、高い防水性が発揮される。さらに、通常、避難ハッチは上蓋で覆われる。したがって、筒状の枠は、折り返し片と避難ハッチの上蓋とで、覆われるので、さらに高い防水性が発揮される。
【００１１】
第二の発明によれば、
合成樹脂製の防水シートからなる防水層を有する外部床に穿設された開口と、
前記開口形状に対応した筒状で、上端が床面から突出した状態で前記開口に嵌め込まれた枠と、
水平片と該水平片の内側縁から上方に屈折した起立片と該起立片上端から内側に且つ下方に屈折した折り返し片とを備え、外面側が前記防水シートと同一材料でコーティングされ、前記枠を覆う防水枠と、からなり、
前記防水枠の水平片が前記床面に載置されるとともに前記防水層を構成する防水シートの端縁部が融着あるいは溶着され、前記起立片が前記枠外面に沿って起立し、前記折り返し片が先端が前記枠の上端部を覆うように構成されたことを特徴とする建物の外部床開口部の防水構造が提供される。
【００１２】
第二の発明では、外部床開口部の防水構造は、外部床に穿設された開口に嵌め込まれた枠を覆う折り返し片を有する防水枠を有するので、雨水が浸入するおそれがなく、高い防水性が発揮される。さらに、通常、避難ハッチは上蓋で覆われる。したがって、開口に嵌め込まれた枠は、折り返し片と避難ハッチの上蓋とで、覆われるので、さらに高い防水性が発揮される。
【発明の効果】
【００１３】
本発明の防水枠、及び外部床開口部の防水構造によれば、外部床の防水層を構成する防水シートの端縁部と当該防水シートと同一材料でコーティングされた防水枠とを融着または溶着するという作業のみで防水処理を完結させることができる。
【図面の簡単な説明】
【００１４】
【図１】本発明の実施例に係る防水構造を有する避難ハッチを、建物Ａのシート防水を施したベランダ床に設置した状態を示す縦断面図である。
【図２】上記避難ハッチのベランダ床開口部の防水構造を示す縦断面図である。
【図３】本発明の一実施態様に係る防水枠Ｃを構成する鋼板部材Ｃ１の斜視図である。
【図４】上記鋼板部材Ｃ１の上面図である。
【図５】上記鋼板部材Ｃ１の正面図である。
【図６】鋼板部材Ｃ１を４ヶ組み合わせて構成した平面視略矩形の防水枠Ｃの上面図である。
【図７】従来実施されていた避難ハッチの防水構造を示す縦断面図である。
【発明を実施するための形態】
【００１５】
以下、図面を参照して、本発明を建物の片持ち形式のベランダの床に採用した、好ましい実施形態につき詳細に説明する。本実施形態において、開口部は避難ハッチである。
【実施例】
【００１６】
図１〜２は、建物Ａのシート防水を施したベランダ床に嵌め込まれた避難ハッチの構造を示すもので、図１は建物からベランダ床にかけての縦断面図、図２は防水構造の拡大図である。
＜建物Ａの構成＞
建物Ａの構成は、角形鋼管からなる柱とＨ形鋼からなる梁１１で軸組みが構成された鉄骨造建物である。外壁、床、ベランダの腰壁、ベランダの床はＡＬＣパネルからなる。外壁パネル１ａおよび腰壁パネル１ｂは、梁１１の上フランジに取り付けられた断面逆Ｔ字状または断面Ｌ字状の金物等で位置決め及び支持されている。
ベランダ床の避難ハッチを設置する部位については、床パネルを敷設せず、ハッチの枠の大きさに対応した開口部を有するフレーム１０が梁１１の上フランジにボルト固定されている。梁１１の上には発泡樹脂からなる板状の断熱材１２、断熱材を保護する硬質の保護板材１３が敷設されたうえで、主たる構成材料が軟質の塩化ビニールである防水シート１４が絶縁工法（浮かし貼り工法）、すなわち、床面に対し固定金具を、ビスを用いて所定の位置に固定し、この固定金具に防水シート１４を融着あるいは溶着する工法によって、防水層を形成している。なお、フレーム１０の上には、高さを調節するために、モルタル１５が打設されている。ベランダの床の下方には所定の防火性能を有する板材１６によって軒天井が構成されている。
【００１７】
＜避難ハッチＢの構成＞
避難ハッチＢは、四角筒状の枠（ケース）２０と、上蓋２１と、下蓋２２とからなる。枠２０の外面にはハッチＢを躯体等に掛止する断面Ｌ字状の掛止片２４が所定の高さに設けられている。上蓋２１は、ヒンジ受け２５により防水枠の外側に取り付けられたヒンジ２６を介して開閉可能に取り付けられている。下蓋２２は、枠２０の下部の軒天井を構成する板材１６のレベルに、ヒンジ２７を介して上蓋２１の開閉に連動して開閉するように取り付けられている。枠２０の内部にはスライド伸縮式の梯子２８が収容される。上記構成の避難ハッチＢは、フレーム１０の開口部に嵌め込まれ、掛止片２４をフレーム１０の開口部周縁に掛止してボルト固定されている。
【００１８】
＜防水枠Ｃの構成＞
図３〜５は、防水枠Ｃを構成する鋼板部材Ｃ１であり、図３は斜視図、図４は上面図、図５は正面図である。図６は、鋼板部材Ｃ１を４ヶ組み合わせて構成した平面視略矩形の枠の上面図である。
図３に示すように、鋼板部材Ｃ１は、水平片３０と、水平片３０の内側縁から上方に屈折した起立片３１と、起立片３１上端から内側に且つ下方に屈折した折り返し片３２とを備えた平面視不等辺Ｌ字状の部材である。図６に示すように、防水枠Ｃは、鋼板部材Ｃ１を４ヶ組み合わせて構成した平面視略矩形の枠である。
鋼板部材Ｃ１の表面側（水平片３０の上面、起立片３１の外面、折り返し片３２の上面及び外面）には、防水シート１４の主たる構成材料と同一の軟質の塩化ビニールがコーティングされており、防水シート１４を融着あるいは溶着しうるように構成されている。
【００１９】
さらに、鋼板部材Ｃ１の一方の端部には、防水シート１４と同一素材の防水シート片３３が予め水密的に貼着されている。鋼板部材Ｃ１と隣接する他の鋼板部材Ｃ１とを防水シート片３３によって水密的に連結することで防水枠Ｃが構成される。４ヶの鋼板部材Ｃ１で構成される枠の開口の内法寸法は、防水枠Ｃを避難ハッチＢの枠２０に嵌め込み得るように、避難ハッチＢの枠２０の外形寸法に対応している。起立片３１の高さは、避難ハッチＢの枠２０の床面（保護板材１３の上面）からの枠２０の突出寸法に対応している。折り返し片３２の下端高さは、避難ハッチＢの枠２０と水枠Ｃの起立片３１との間からの雨水の浸入を防止しうるように避難ハッチＢの枠２０の上端よりも低くなるように構成されている。
上記構成の防水枠Ｃは、避難ハッチＢの枠２０の突出部分を覆うように保護板材１３の上に載置されて床面にビス固定され、さらに防水シート片３３と床面の防水層を構成する防水シート１４の端縁部とが、融着あるいは溶着され避難ハッチＢまわりの水密性が確保される。また、折り返し片３２の内側には湿式のシーリング材３４が充填されている。シーリング材は充填しなくても、防水性能に影響はない。
【００２０】
上記構成によれば、折り返し片３２を有する防水枠Ｃによって避難ハッチＢの枠２０が覆われ、折り返し片３２は通常ハッチＢの上蓋２１で覆われているので雨水が浸入するおそれがなく、高い防水性能が発揮される。しかも、防水枠Ｃの防水シート片３３と床面の防水層を構成する防水シート１４の端縁部を、防水枠Ｃに融着あるいは溶着するだけで避難ハッチＢまわりの防水処理を完結させることができ、作業性に優れる。
【産業上の利用可能性】
【００２１】
シート防水はアスファルト防水や塗膜防水に比べて普及度が低く、工業化住宅に限られている。かつて、避難ハッチは鉄骨やＲＣ在来工法の大規模共同住宅に使用されることが多かったため、小規模の共同住宅が多い工業化住宅の中では使用頻度が低かった。ところが、昨今は工業化住宅のシステムを3階以上の大規模物件に用いることが増加傾向にあり、本件考案によって、従来からある避難ハッチとシート防水の問題を解決するニーズが高まることが予測される。
【符号の説明】
【００２２】
Ａ 建物
Ｂ 避難ハッチ
Ｃ 防水枠
Ｃ１ 鋼板部材
１ａ 外壁パネル
１ｂ 腰壁パネル
１０ フレーム
１１ 梁
１２ 断熱材
１３ 保護板材
１４ 防水シート
１５ モルタル
１６ （軒天井を構成する）板材
２０ 筒状の枠
２１ 上蓋
２２ 下蓋
２４ 掛止片
２５ ヒンジ受け
２６ ヒンジ（上蓋用）
２７ ヒンジ（下蓋用）
２８ 梯子
３０ 水平片
３１ 起立片
３２ 折り返し片
３３ 防水シート片
３４ シーリング材
４０ 防水シート（端部）
４１ 段部
４２ シーリング材
【図１】
0005517513.tif 000002
【図２】
0005517513.tif 000003
【図３】
0005517513.tif 000004
【図４】
0005517513.tif 000005
【図５】
0005517513.tif 000006
【図６】
0005517513.tif 000007
【図７】
0005517513.tif 000008